(57)【特許請求の範囲】
【請求項１】
交流電源と負荷との間に接続され、上記負荷に上記交流電源からの交流電力を供給する機械式スイッチと、この機械式スイッチの負荷側に他のスイッチを介して接続された直流・交流変換器と、この直流・交流変換器に接続された充放電可能なエネルギー貯蔵源とを有し、上記交流電源の常時には上記機械式スイッチが閉成され上記直流・交流変換器のインバータ電流が充電電流制御されることによって、上記エネルギー貯蔵源が充電され、上記交流電源の異常時には、上記機械式スイッチに開放指令が与えられて開極されたとき、上記直流・交流変換器は、負荷電流制御されて上記交流電源に代わって上記エネルギー貯蔵源から上記直流・交流変換器を介して負荷に対して電力を供給するようにした無停電電源装置において、上記機械式スイッチが開極されたときに、上記直流・交流変換器から、上記機械式スイッチが開極されたときに発生するアーク電流の方向と反対方向の電流を発生するエネルギーを上記機械式スイッチに印加することにより上記機械式スイッチに流れる電流を強制的にゼロにすることにより高速に上記機械式スイッチを遮断することを特徴とする無停電電源装置。
【請求項２】
上記負荷に流れる電流を検出する第１変流器を上記機械式スイッチの負荷側に設け、上記直流・交流変換器の出力側に第２変流器を設け、上記機械式スイッチが開極した後、上記機械式スイッチに流れる電流がゼロになるまでの間、上記第１変流器の電流と上記第２変流器の電流が同じになるように電流差分制御することを特徴とする請求項１記載の無停電電源装置。
【請求項３】
上記異常を検出した後、上記機械式スイッチ固有の開極時間に相当する時間の経過後に上記エネルギー貯蔵源から上記直流・交流変換器を介して負荷に対して電力を供給することを特徴とする請求項１記載の無停電電源装置。
【請求項４】
予め上記機械式スイッチが開放されたとみなす基準値の電流値を設定し、上記機械式スイッチに流れる電流を検出し、上記検出した電流と上記設定した基準値の電流値とを比較し、上記検出した電流が上記基準値の電流になった時に、上記エネルギー貯蔵源から上記直流・交流変換器を介して負荷に対して電力を供給することを特徴とする請求項１記載の無停電電源装置。
【請求項５】
上記エネルギーにより発生する電流を、上記機械式スイッチが開極した後、上記機械式スイッチに流れる電流がゼロになるまでの間、ランプ状に下げるようにしたことを特徴とする請求項１記載の無停電電源装置。
【請求項６】
上記交流三相電源の各相の電流を検出するようにし、上記交流三相電源の異常時に、上記機械式スイッチの三相のうち上記交流三相電源の最小電流相に接続された当該相から順番に、上記エネルギーを印加することを特徴とする請求項１記載の無停電電源装置。
【請求項７】
上記交流三相電源の位相を検出し、上記交流三相電源の異常時に、上記機械式スイッチのゼロクロスに近い相から順番に上記エネルギーを印加することを特徴とする請求項１記載の無停電電源装置。
【発明の詳細な説明】
【０００１】
【発明の属する技術分野】
この発明は、無停電電源装置、特に強制転流回路を持たない機械式スイッチを含む無停電電源装置に関するものである。
【０００２】
【従来の技術】
図１０は、従来から一般に用いられている常時商用電力給電方式の無停電電源装置の構成を示すブロック図である。この図において、１は交流入力電源、２は交流電力を受ける負荷、３は交流入力電源と負荷との間に接続された機械式スイッチ、４は機械式スイッチ３に対して並列的に接続された転流回路、５は転流回路４に直列接続され、転流回路４と共に強制転流回路を構成する補助サイリスタ、６はエネルギー貯蔵源であるバッテリーで、交流入力電源１の停電や異常時に交流入力電源１に代わって負荷２に電力を供給するためのものである。７は直流から交流に変換する変換器で、スイッチ８を介して機械式スイッチ３の負荷側に接続され、常時はバッテリー６を充電し、交流入力電源１の停電または異常時において機械式スイッチ３が開放した時は、バッテリー６からの電力を交流に変換して負荷２へ供給する。
【０００３】
１０は交流入力電源の電圧を検出する電圧センサー、１１は異常電圧を検出するための基準値を出力する異常電圧検出基準回路、１２は電圧センサー１０と異常電圧検出基準回路１１の出力を比較して、電圧センサー１０で検出される交流入力電源１の電圧の異常を比較判定する比較器、１３は比較器１２から異常の比較判定信号が出力された時、機械式スイッチ３の開放指令を発する開放指令回路、１４は機械式スイッチ３が開極動作に至るまでの時間に対応する遅延要素、１５は上記遅延要素を介して比較器１２の比較出力を受け、補助サイリスタ５にゲート信号を与えるゲートオン指令回路、１６は変換器７の出力電圧を一定値に制御するための信号を出力するインバータ電圧制御回路、１７は周知のアンサーバックによって機械式スイッチ３の開放を確認し、出力を出す開放確認回路、１８はインバータ電圧制御回路１６の出力と開放確認回路１７の出力を入力とし、機械式スイッチ３が開放状態である時のみ変換器７のインバータ電圧制御を生かすためのアンド回路である。
【０００４】
１９は変換器7に対してゼロ電流指令を出すゼロ電流指令回路、２０はゼロ電流制御を行なうための基準値を出力するゼロ電流基準回路、２１はゼロ電流指令回路１９の出力とゼロ電流基準回路２０の出力を入力とするアンド回路、２２はアンド回路１８及び２１の出力並びに変換器７の出力回路に設けられた変流器２３からの出力を入力とし、負荷２の電流に応じて変換器７のインバータ電流を制御する制御回路である。
【０００５】
このような構成において、停電や交流入力電源１の異常が発生すると、電圧センサー１０の検出電圧が異常電圧検出基準回路１１の出力より低下するため、比較器１２が異常と判定し、その比較出力を生ずる。これによって先ず開放指令回路１３が機械式スイッチ３の開放を指令し、所定時間遅れてゲートオン指令回路１５が補助サイリスタ５にゲート信号を与える。このため、機械式スイッチ３は開放動作に入り、開極後、アーク電流の継続中に強制転流回路の補助サイリスタ５がオンし、転流回路４に蓄えたエネルギーを使用して強制的にアーク電流のゼロクロス点を作って電流を遮断する。
交流入力が開放された後は、変換器７はインバータ電圧制御回路１６及びインバータ電流制御回路２２によって定電圧制御が行なわれ、負荷に応じた電流を供給することになる。この場合、アーク時間は強制転流が行なわれることから非常に短く、全体の切換え時間は機械式スイッチ３の開極時間と停電検出時間のみである。
【０００６】
また、図１１は、強制転流回路を持たない機械式スイッチ３を含む従来の無停電電源装置の構成を示すものである。
強制転流回路及びその制御回路以外の構成は、図１０と同一であるため、相当する部分に同一符号を付して説明を省略する。
この装置において、停電や交流入力電源１の異常が発生すると、機械式スイッチ３の開放動作に入り、開極後、アーク電流が継続し、電流のゼロクロス点がくるまで交流入力が接続され、ゼロクロス後開放される。このあと、変換器７は図１０と同様に、定電圧制御に切換えられ、負荷に応じた電流を供給する。
この場合、アーク時間は最大半サイクルあるため、切換え時間は機械式スイッチ３の開極時間と停電検出時間に最大半サイクルのアーク時間がかかる。
【０００７】
【発明が解決しようとする課題】
従来の無停電電源装置は以上のように構成されており、図１０に示す強制転流回路を持つ場合には、転流回路４が大きく、複雑で高価であった。特に、機械式スイッチが高圧回路に接続されている場合は、強制転流回路に高圧の補助サイリスタやコンデンサが必要となり、部品の選定や絶縁距離の確保など制約条件も多かった。また、図１１に示す強制転流回路を持たない場合には、シンプルであるが切換え時間が半サイクル以上かかるため、負荷によっては電源の瞬断によって停止してしまうという問題点があった。
加えて、機械式スイッチ３が完全に開放されないと変換器７は定電圧制御に切換えることができないため、各動作のタイミングをとるためにシーケンスロジックが複雑になるという問題点もあった。
【０００８】
この発明は、上記のような問題点を解決するためになされたもので、強制転流回路を持たない場合においても、強制転流回路を持つ場合と同等の高速の切換えを行なうことが出来、機械式スイッチの状態を検出しなくても変換器を定電圧制御に切換えることができ、高効率、高性能で安価な無停電電源装置を提供することを目的とする。
【０００９】
【課題を解決するための手段】
この発明に係る無停電電源装置は、交流電源と負荷との間に接続され、負荷に交流電源からの交流電力を供給する機械式スイッチと、この機械式スイッチの負荷側に他のスイッチを介して接続された直流・交流変換器と、この直流・交流変換器に接続された充放電可能なエネルギー貯蔵源とを有し、交流電源の常時には機械式スイッチが閉成され上記直流・交流変換器のインバータ電流が充電電流制御されることによって、エネルギー貯蔵源が充電され、交流電源の異常時には、上記機械式スイッチに開放指令が与えられて開放されたとき、直流・交流変換器は、負荷電流制御されて上記交流電源に代わってエネルギー貯蔵源から直流・交流変換器を介して負荷に対して電力を供給するようにした無停電電源装置において、機械式スイッチが開極されたときに、直流・交流変換器から、機械式スイッチが開極されたときに発生するアーク電流の方向と反対方向の電流を発生するエネルギーを機械式スイッチに印加することにより機械式スイッチに流れる電流を強制的にゼロにすることにより高速に機械式スイッチを遮断するものである。
【００１０】
この発明に係る無停電電源装置は、また、負荷に流れる電流を検出する第１変流器を機械式スイッチの負荷側に設け、直流・交流変換器の出力側に第２変流器を設け、機械式スイッチが開極した後、機械式スイッチに流れる電流がゼロになるまでの間、第１変流器の電流と第２変流器の電流が同じになるように電流差分制御するものである。
【００１１】
この発明に係る無停電電源装置は、また、異常を検出した後、機械式スイッチ固有の開極時間に相当する時間の経過後にエネルギー貯蔵源から直流・交流変換器を介して負荷に対して電力を供給するものである。
【００１２】
この発明に係る無停電電源装置は、また、予め機械式スイッチが開放されたとみなす基準値の電流値を設定し、機械式スイッチに流れる電流を検出し、検出した電流と設定した基準値の電流値とを比較し、検出した電流が基準値の電流になった時に、エネルギー貯蔵源から直流・交流変換器を介して負荷に対して電力を供給するものである。
【００１３】
この発明に係る無停電電源装置は、また、エネルギーにより発生する電流を、機械式スイッチが開極した後、機械式スイッチに流れる電流がゼロになるまでの間、ランプ状に下げるようにしたものである。
【００１４】
この発明に係る無停電電源装置は、また、交流三相電源の各相の電流を検出するようにし、交流三相電源の異常時に、機械式スイッチの三相のうち交流三相電源の最小電流相に接続された当該相から順番に、エネルギーを印加するものである。
【００１５】
この発明に係る無停電電源装置は、また、交流三相電源の位相を検出し、交流三相電源の異常時に、機械式スイッチのゼロクロスに近い相から順番に上記エネルギーを印加するものである。
【００１６】
【発明の実施の形態】
実施の形態１．
以下、この発明の実施の形態１を図にもとづいて説明する。
図１は、実施の形態１の構成を示すブロック図である。この図において、図１１と同一または相当部分には同一符号を付して説明を省略する。
即ち図１において、１６はインバータ電圧制御回路で、図１１に示されたものと同機能であるが、入力側が電圧センサー１０の出力側に接続されている。
２５は比較器１２の出力を受けて交流入力電流をゼロにする指令を発する入力電流ゼロ指令回路、２６は交流入力電流をゼロに制御するための基準値を出力する入力電流ゼロ基準回路、２７は入力電流ゼロ指令回路２５の出力がある時のみ入力電流ゼロ基準回路２６の基準値出力を生ずるアンド回路、２８はアンド回路１８及び２７の出力並びに交流入力回路に設けられた変流器２９からの出力を入力とし、交流入力回路の電流をゼロにするように制御する制御回路、３０は制御回路２８と２２との間に設けられたスイッチで、常時は開放状態で制御回路２８の出力を制御回路２２に与えないようにされており、入力電流ゼロ指令回路２５に出力が生じた時、閉成されるようになされている。
【００１７】
次に、この実施の形態の動作について説明する。通常は、交流入力電源１より機械式スイッチ３を介して負荷３に電力を供給している。このとき変換器７は、インバータ電流のゼロ電流指令回路１９とゼロ電流基準回路２０の出力にもとづき制御回路２２によってゼロ電流に制御されている。
交流入力電源１が異常状態となり、電圧が低下または停電した場合は、電圧センサー１０による検出と、比較器１２の比較判定によって異常を検出し、停電確認時限後、開放指令回路１３に、機械式スイッチ３の開放指令を与えると同時に、比較器１２の比較出力が入力電流ゼロ指令回路２５に与えられるため、その出力によってスイッチ３０を短絡すると共に、入力電流ゼロ基準回路２６の出力を制御回路２８に与え、更に、制御回路２８の出力を制御回路２２に与えることにより、インバータ電流のゼロ電流指令を解除し、変換器７からのエネルギーを使って、機械式スイッチ３を流れる電流を強制的にゼロにするように瞬時に制御する。
【００１８】
機械式スイッチ３が開放されたことを開放確認回路１７で検出すると、インバータ電圧制御回路１６の出力がアンド回路１８から出力され、インバータ電圧制御ループが動作して変換器７を一定電圧に制御し、エネルギー貯蔵源６のエネルギーを負荷２へ供給する。
以上のように、実施の形態１によれば、強制転流回路を持たない機械式スイッチでも、スイッチ開極後のアーク時間をゼロにすることにより、入力電源の異常時に、高速で変換器側に切換え、負荷給電を継続することができる。
【００１９】
実施の形態２．
次に、この発明の実施の形態２を図にもとづいて説明する。
図２は、実施の形態２の構成を示すブロック図である。この図において、図１と同一または相当部分には同一符号を付して説明を省略する。図１と異なる点は、機械式スイッチ３の交流入力電源１側に変流器２９を設けて機械式スイッチ３に流れる電流を直接検出するのに代えて、負荷に流れる電流を検出する変流器３１を設けて、負荷電流を検出すると共に、変換器７の出力回路に設けられた変流器２３の出力と加算器３２によって差動的に加算し、加算出力を制御回路３３に与えて変流器２３と３１の電流が同じになるように制御するようにした点である。なお、制御回路３３は図１の制御回路２８に代えて設けられるものである。
このような構成とすれば、機械式スイッチ３が高圧回路に接続されていて電流検出手段の挿入が難しいときでも、容易に制御することができる。
【００２０】
実施の形態３．
次に、この発明の実施の形態３を図にもとづいて説明する。
図３は、実施の形態３の構成を示すブロック図である。この図において、図１と同一または相当部分には同一符号を付して説明を省略する。図１と異なる点は、機械式スイッチ３の開放確認回路１７を設けてアンサーバックによる開放状態の確認を行なっていたのに代えて、機械式スイッチ３の開極時間（ほぼ数ｍｓ）に相当する遅延回路３５を設けた点である。
このような構成によれば、遅延時間後に、インバータ電圧制御回路１６の出力がアンド回路１８に出力を生ずるため、機械式スイッチ３の補助接点などの不良やアンサーバックの断線などの異常時であっても、インバータ電圧制御に切換えるタイミングを逸することなく確実に負荷に一定電圧を供給することができる。
【００２１】
実施の形態４．
次に、この発明の実施の形態４を図にもとづいて説明する。
図４は、実施の形態４の構成を示すブロック図である。この図において、図３と同一または相当部分には同一符号を付して説明を省略する。図３と異なる点は、インバータ電圧制御への切換えを、交流入力電源の異常発生後、一定の時間後に行っていたのに代えて、機械式スイッチ３に流れる電流を変流器２９で検出し、その大きさを所定の基準値３６と比較器３７によって比較して、検出電流が基準値以下の時、機械式スイッチ３が開放されたとみなしてインバータ電圧制御回路１６を動作させるようにした点である。このような構成とすれば、入力電源が短絡で電圧異常になった場合には、変換器７からの電力が電源に逆流し、ゼロ電流に制御する時間が長引いても、電圧制御に切換える動作を自動的に安全に行なうことができる。また、入力電源が開放で電圧異常になった場合には、機械式スイッチ３が開極しなくても入力電流はゼロになるため瞬時に電圧制御への切換えが行なわれ、切換え時間をより短くすることができる。
【００２２】
実施の形態５．
次に、この発明の実施の形態５を図にもとづいて説明する。
図５は、実施の形態５の構成を示すブロック図である。この図において、図１と同一または相当部分には同一符号を付して説明を省略する。図１では、入力電源が異常の時に機械式スイッチ３を高速で開放するものであったのに対し、負荷２が過負荷や短絡で機械式スイッチ３が過電流になった場合に変換器７からのエネルギーを使って高速で遮断するようにした点が異なる。
【００２３】
即ち図５において、３８は過電流を判定するための基準値を発生する過電流基準回路、３９は変流器２９から検出される負荷電流と過電流基準回路３８の基準値とを比較し、過電流か否かを比較判定する比較器、４０は比較器３９の比較結果が過電流の時、その比較出力にもとづいて限流指令を発する限流指令回路、４１は限流制御の基準値を発生する限流値基準回路、４２は限流指令が発せられた時のみ限流値基準回路４１の基準値を送出するアンド回路である。
【００２４】
このような構成において、通常状態では、交流入力電源１より機械式スイッチ３を介して負荷２に電力を供給している。このとき変換器７は、インバータ電流のゼロ電流指令回路１９の指令にもとづいてゼロ電流に制御されている。
負荷電流が異常となり、機械式スイッチ３に流れる電流が過電流になったことを比較器３９が比較判定した場合には、限流指令回路４０から限流指令を出し、スイッチ３０をオンして入力電流制御回路２８を動作させ、限流値基準回路４１の基準値、例えば定格電流等の一定電流になるように変換器７を制御する。
遅延回路３５で設定された一定時間を経過しても過電流が抑制されない場合は、異常と見なして機械式スイッチの開放指令回路１３を動作させ機械式スイッチ３を開放する。また、負荷短絡などで電流が急峻に立上る場合は、入力電流制御回路２８で電流の立ち上がりを抑え、限流値基準回路４１の電流基準をゼロ電流にして機械式スイッチ３を過大電流が流れる前に遮断することができる。
【００２５】
実施の形態６．
次に、この発明の実施の形態６を図にもとづいて説明する。
図６は、実施の形態６の構成を示すブロック図である。この図において、図３と同一または相当部分には同一符号を付して説明を省略する。図３では、入力電源の異常検出後、瞬時に入力電流をゼロ電流制御に切換えるようにしているが、切換え時間に余裕があり出力電圧の位相変化を急激に行ないたくない場合には、図６に示すように、遮断時間指令を発する遮断時間指令回路４３と、上記の時間内で入力をランプ状に下げるランプ回路４４をアンド回路２７の出力側に設け、入力電流ゼロ指令回路２５によってゼロ電流指令が発せられた時、入力電流ゼロ基準回路２６の基準値を遮断時間指令回路４３の時間内で下降させるようにすれば、ソフト遮断を実現することができる。
【００２６】
実施の形態７．
次に、この発明の実施の形態７を図にもとづいて説明する。
図７は、三相電源の各相の電流を示す波形図、図８は、実施の形態７の構成を示すブロック図である。この図において、図３と同一または相当部分には同一符号を付して説明を省略する。この実施の形態では、１２０度の位相差を有する三相電源の各相に変流器２９Ｒ、２９Ｓ、２９Ｔを設けて各相ごとの電流を検出するようにし、入力電源の異常を検出して、入力電流のゼロ電流制御を行なう時は、各相の電流のうち最小電流相（図７からも見られるように、常にピーク電流の５０％以下の相が存在する）を最小電流相検出器４５で検出し、当該相のゼロ電流制御指令を入力電流ゼロ指令回路２５から送ることにより、制御回路２８によってゼロ電流制御を開始する。
このようにすれば、実施の形態６と同様に出力電圧の位相変化を急激に行わずにスムーズに遮断し易い位相から順番に遮断を行なうことができる。
【００２７】
実施の形態８．
次に、この発明の実施の形態８を図にもとづいて説明する。
図９は、実施の形態８の構成を示すブロック図である。この図において、図８と同一または相当部分には同一符号を付して説明を省略する。
この実施の形態は、変換器７からの入力電流の力率を１にするような無効電流を常時流す制御回路４６及び無効電流の制御指令を与える回路４７を設けてスイッチ４８をオンオフすることにより、入力電源電圧と入力電流の位相を常に同相に保つようにしたもので、そのために三相電源の最小電圧相検出器４９と、逆電圧印加指令回路５０と、反転回路５１とを設け、アンド回路５２の出力として逆電圧を取り出し、逆電圧印加回路５３によってゼロクロスに近い相から順番に逆電圧を印加することにより、インバータから過大な電流を流さずにスムーズに遮断することができる。
【００２８】
【発明の効果】
この発明に係る無停電電源装置は、交流電源と負荷との間に接続され、負荷に上記交流電源からの交流電力を供給する機械式スイッチと、この機械式スイッチの負荷側に他のスイッチを介して接続された直流・交流変換器と、この直流・交流変換器に接続された充放電可能なエネルギー貯蔵源とを有し、交流電源の常時には機械式スイッチが閉成され上記直流・交流変換器のインバータ電流が充電電流制御されることによって、エネルギー貯蔵源が充電され、交流電源の異常時には、機械式スイッチに開放指令が与えられて開放されたとき、直流・交流変換器は、負荷電流制御されて交流電源に代わってエネルギー貯蔵源から直流・交流変換器を介して負荷に対して電力を供給するようにした無停電電源装置において、機械式スイッチが開極されたときに、直流・交流変換器から、機械式スイッチが開極されたときに発生するアーク電流の方向と反対方向の電流を発生するエネルギーを機械式スイッチに印加することにより機械式スイッチに流れる電流を強制的にゼロにすることにより高速に機械式スイッチを遮断するものであるため、強制転流回路を持たない機械式スイッチによっても、スイッチ開極後のアーク時間をゼロにすることにより、入力電源の異常時に高速で変換器側に切換え、負荷給電を継続することができる。
【００２９】
この発明に係る無停電電源装置は、また、負荷に流れる電流を検出する第１変流器を機械式スイッチの負荷側に設け、直流・交流変換器の出力側に第２変流器を設け、機械式スイッチが開極した後、機械式スイッチに流れる電流がゼロになるまでの間、第１変流器の電流と第２変流器の電流が同じになるように電流差分制御するものであるため、機械式スイッチが高圧回路に接続されていて電流検出手段の挿入が難しいときでも、容易に制御することができる。
【００３０】
この発明に係る無停電電源装置は、また、異常を検出した後、機械式スイッチ固有の開極時間に相当する時間の経過後にエネルギー貯蔵源から直流・交流変換器を介して負荷に対して電力を供給するものであるため、機械式スイッチの補助接点などの不良やアンサーバックの断線などの異常時であってもインバータ電圧制御に切換えるタイミングを逸することなく、確実に負荷に一定電圧を供給することができる。
【００３１】
この発明に係る無停電電源装置は、また、予め機械式スイッチが開放されたとみなす基準値の電流値を設定し、機械式スイッチに流れる電流を検出し、検出した電流と設定した基準値の電流値とを比較し、検出した電流が基準値の電流になった時に、エネルギー貯蔵源から直流・交流変換器を介して負荷に対して電力を供給するものであるため、入力電源が短絡で電圧異常になった場合には、変換器からの電力が電源に逆流し、ゼロ電流に制御する時間が長引いても、電圧制御に切換える動作を自動的に安全に行なうことができる。また、入力電源が開放で電圧異常になった場合には、機械式スイッチが開極しなくても入力電流はゼロになるため瞬時に電圧制御への切換えが行なわれ、切換え時間をより短くすることができる。
【００３２】
この発明に係る無停電電源装置は、また、エネルギーにより発生する電流を、機械式スイッチが開極した後、機械式スイッチに流れる電流がゼロになるまでの間、ランプ状に下げるようにしたものであるため、ソフト遮断を実現することができる。
【００３３】
この発明に係る無停電電源装置は、また、交流三相電源の各相の電流を検出するようにし、交流三相電源の異常時に、機械式スイッチの三相のうち交流三相電源の最小電流相に接続された当該相から順番に、エネルギーを印加するものであるため、出力電圧の位相変化を急激に行なわずにスムーズに遮断し易い位相から順番に遮断を行なうことができる。
【００３４】
この発明に係る無停電電源装置は、また、交流三相電源の位相を検出し、交流三相電源の異常時に、機械式スイッチのゼロクロスに近い相から順番にエネルギーを印加するものであるため、インバータから過大な電流を流さずにスムーズに遮断することができる。
【図面の簡単な説明】
【図１】  この発明の実施の形態１の構成を示すブロック図である。
【図２】  この発明の実施の形態２の構成を示すブロック図である。
【図３】  この発明の実施の形態３の構成を示すブロック図である。
【図４】  この発明の実施の形態４の構成を示すブロック図である。
【図５】  この発明の実施の形態５の構成を示すブロック図である。
【図６】  この発明の実施の形態６の構成を示すブロック図である。
【図７】  三相電源の各相の電流を示す波形図である。
【図８】  この発明の実施の形態７の構成を示すブロック図である。
【図９】  この発明の実施の形態８の構成を示すブロック図である。
【図１０】  従来の無停電電源装置の構成を示すブロック図である。
【図１１】  従来の無停電電源装置の他の構成を示すブロック図である。
【符号の説明】
１  交流入力電源、２  負荷、３  機械式スイッチ、６  エネルギー貯蔵源、
７  変換器、１０  電圧センサー、１２  比較器、１３  開放指令回路、
１６  インバータ電圧制御回路、１９  ゼロ電流指令回路、
２２  インバータ電流制御回路、２５  入力電流ゼロ指令回路、
２８  入力電流制御回路。
【図１】
0003766788.tif 000002
【図２】
0003766788.tif 000003
【図３】
0003766788.tif 000004
【図４】
0003766788.tif 000005
【図５】
0003766788.tif 000006
【図６】
0003766788.tif 000007
【図７】
0003766788.tif 000008
【図８】
0003766788.tif 000009
【図９】
0003766788.tif 000010
【図１０】
0003766788.tif 000011
【図１１】
0003766788.tif 000012